【手続補正書】
【提出日】平成16年4月26日(2004.4.26)
【手続補正１】
【補正対象書類名】明細書
【補正対象項目名】発明の名称
【補正方法】変更
【補正の内容】
【発明の名称】情報処理装置及びそのメモリのアップデート方法と記録装置
【手続補正２】
【補正対象書類名】明細書
【補正対象項目名】特許請求の範囲
【補正方法】変更
【補正の内容】
【特許請求の範囲】
【請求項１】
外部に接続される機器から受信したデータの処理を行う情報処理装置において、
プログラムを記憶するメモリを有し、前記プログラムに従って前記外部に接続される機器とのデータの送受信を行う第１制御ユニットと、
電力を供給する制御信号を前記第１制御ユニットから受信することで電力が供給され、前記第１制御ユニットを介して受信したデータを処理する第２制御ユニットとを有し、
前記第１制御ユニットは、前記メモリの内容を更新する際、前記メモリの更新が完了してから、前記第２制御ユニットに電力を供給する制御信号を送信するよう制御することを特徴とする情報処理装置。
【請求項２】
前記第２制御ユニットは、電源オン状態とする制御信号を受信すると電源がオン状態とされることを特徴とする請求項１に記載の情報処理装置。
【請求項３】
前記第１制御ユニットは、電力を遮断してから再度電力が供給されたときに行うハードリセット処理であるか、電力を遮断せずに行うリセット処理であるかを判別可能な情報を保持するレジスタを有することを特徴とする請求項１又は２に記載の情報処理装置。
【請求項４】
前記第１制御ユニットは、前記レジスタに保持されている情報に基づいて、前記第２制御ユニットが前記ハードリセット処理を行っているリセット状態であるか否かを判定し、前記リセット状態の解除後に前記第２制御ユニットに電力を供給する制御信号を送信することを特徴とする請求項３に記載の情報処理装置。
【請求項５】
前記第１制御ユニットは、前記メモリの内容を更新する間、前記第２制御ユニットのリセット状態を解除しないことを特徴とする請求項４に記載の情報処理装置。
【請求項６】
前記第１制御ユニットは、電源投入時に所定のキースイッチが押下されていることを検知すると前記メモリの更新を開始することを特徴とする請求項１乃至５のいずれか１項に記載の情報処理装置。
【請求項７】
前記メモリの更新の完了後に前記第１制御ユニット及び第２制御ユニットをソフトパワーオン状態に遷移させる手段を更に有することを特徴とする請求項１乃至６のいずれか１項に記載の情報処理装置。
【請求項８】
前記ソフトパワーオン状態の後、前記メモリが更新されたことを表示する表示制御手段を更に有することを特徴とする請求項７に記載の情報処理装置。
【請求項９】
前記表示制御手段は更に、前記メモリの内容のバージョン情報を表示することを特徴とする請求項８に記載の情報処理装置。
【請求項１０】
前記情報処理装置はプリンタ装置であり、前記第１制御ユニットは、前記プリンタ装置の主制御部を含み、前記第２制御ユニットはプリンタエンジンを含むことを特徴とする請求項１乃至９のいずれか１項に記載の情報処理装置。
【請求項１１】
プログラムを記憶するメモリを有し、前記プログラムに従って外部に接続される機器とのデータの送受信を行う第１制御ユニットと、電力を供給する制御信号を前記第１制御ユニットから受信することで電力が供給され、前記第１制御ユニットを介して受信したデータを処理する第２制御ユニットとを有し、外部に接続される機器から受信したデータの処理を行う情報処理装置におけるメモリのアップデート方法であって、
前記メモリの内容を更新する際、前記メモリの更新が完了してから、前記第２制御ユニットに電力を供給する制御信号を送信するよう制御する工程を備えることを特徴とするメモリのアップデート方法。
【請求項１２】
前記制御する工程は、前記第１制御ユニットのレジスタに保持されている電力を遮断してから再度電力が供給されたときに行うハードリセット処理であるか、電力の供給を遮断せずに行うリセット処理であるかを判別可能な情報に基づいて、前記第２制御ユニットが前記ハードリセット処理を行っているリセット状態であるか否かを判定し、前記リセット状態の解除後に前記第２制御ユニットに電力を供給する制御信号を送信することを特徴とする請求項１１に記載のメモリのアップデート方法。
【請求項１３】
前記制御する工程は、前記メモリの内容を更新する間、前記第２制御ユニットのリセットを解除しないことを特徴とする請求項１１又は１２に記載のメモリのアップデート方法。
【請求項１４】
前記第１制御ユニットは、電源投入時に所定のキースイッチが押下されていることを検知すると前記メモリの更新を開始することを特徴とする請求項１１乃至１３のいずれか１項に記載のメモリのアップデート方法。
【請求項１５】
前記メモリの更新の完了後に前記第１制御ユニット及び第２制御ユニットをソフトパワーオン状態に遷移させる工程を更に有することを特徴とする請求項１１乃至１４のいずれか１項に記載のメモリのアップデート方法。
【請求項１６】
前記ソフトパワーオン状態の後、前記メモリが更新されたことを表示する表示制御工程を更に有することを特徴とする請求項１５に記載のメモリのアップデート方法。
【請求項１７】
外部に接続される機器から受信したデータに基づいて記録を行う記録装置であって、
プログラムを記憶するメモリと、前記プログラムに従って前記外部に接続される機器とのデータの送受信を制御するＣＰＵとを有する制御ユニットと、
前記制御ユニットを介して受信したデータの記録を行うプリンタエンジンと、
商用ＡＣ電源と接続されて前記制御ユニット及び前記プリンタエンジンに電力を供給する電源ユニットと、
前記電源ユニットからの電力供給が停止した後、前記電源ユニットからの電力供給が開始されたときに前記メモリの更新が指示されているかどうかを判定する判定手段と、
前記判定手段により前記メモリの更新が指示されていると判定した場合に前記メモリを更新する更新手段とを有し、
前記制御ユニットは、前記更新手段による前記メモリの更新が完了してから、前記プリンタエンジンに対して電源投入を示す制御信号を送信するよう制御することを特徴とする記録装置。
【請求項１８】
前記更新手段はフラッシュＲＯＭに記憶されているプログラムを前記メモリに格納することを特徴とする請求項１７に記載の記録装置。
【請求項１９】
前記更新手段により前記メモリが更新されたことを表示する更新表示手段を更に有することを特徴とする請求項１７又は１８に記載の記録装置。
【請求項２０】
前記判定手段は、前記電源ユニットからの電力供給が開始されたときに所定のスイッチが押下されていると前記メモリの更新が指示されたと判定することを特徴とする請求項１７乃至１９のいずれか１項に記載の記録装置。
【手続補正３】
【補正対象書類名】明細書
【補正対象項目名】０００１
【補正方法】変更
【補正の内容】
【０００１】
【発明の属する技術分野】
本発明は、情報処理装置及びそのメモリのアップデート方法と記録装置に関するものである。
【手続補正４】
【補正対象書類名】明細書
【補正対象項目名】０００７
【補正方法】変更
【補正の内容】
【０００７】
本発明は上記従来例に鑑みてなされたもので、制御ユニット内のメモリの更新における誤動作を防止した情報処理装置及びそのメモリのアップデート方法と記録装置を提供することにある。
【手続補正５】
【補正対象書類名】明細書
【補正対象項目名】０００８
【補正方法】変更
【補正の内容】
【０００８】
また本発明の目的は、メモリの内容が更新された場合に、電源投入時にその更新の有無、及びその内容に関する情報をユーザにより確認可能にした情報処理装置及びそのメモリのアップデート方法と記録装置を提供することにある。
【手続補正６】
【補正対象書類名】明細書
【補正対象項目名】０００９
【補正方法】変更
【補正の内容】
【０００９】
【課題を解決するための手段】
上記目的を達成するために本発明の情報処理装置は以下のような構成を備える。即ち、  外部に接続される機器から受信したデータの処理を行う情報処理装置において、
プログラムを記憶するメモリを有し、前記プログラムに従って前記外部に接続される機器とのデータの送受信を行う第１制御ユニットと、
電力を供給する制御信号を前記第１制御ユニットから受信することで電力が供給され、前記第１制御ユニットを介して受信したデータを処理する第２制御ユニットとを有し、
前記第１制御ユニットは、前記メモリの内容を更新する際、前記メモリの更新が完了してから、前記第２制御ユニットに電力を供給する制御信号を送信するよう制御することを特徴とする。
上記目的を達成するために本発明の記録装置は以下のような構成を備える。即ち、
外部に接続される機器から受信したデータに基づいて記録を行う記録装置であって、
プログラムを記憶するメモリと、前記プログラムに従って前記外部に接続される機器とのデータの送受信を制御するＣＰＵとを有する制御ユニットと、
前記制御ユニットを介して受信したデータの記録を行うプリンタエンジンと、
商用ＡＣ電源と接続されて前記制御ユニット及び前記プリンタエンジンに電力を供給する電源ユニットと、
前記電源ユニットからの電力供給が停止した後、前記電源ユニットからの電力供給が開始されたときに前記メモリの更新が指示されているかどうかを判定する判定手段と、
前記判定手段により前記メモリの更新が指示されていると判定した場合に前記メモリを更新する更新手段とを有し、
前記制御ユニットは、前記更新手段による前記メモリの更新が完了してから、前記プリンタエンジンに対して電源投入を示す制御信号を送信するよう制御することを特徴とする。
【手続補正７】
【補正対象書類名】明細書
【補正対象項目名】００１０
【補正方法】変更
【補正の内容】
【００１０】
上記目的を達成するために本発明の情報処理装置のメモリのアップデート方法は以下のような工程を備える。即ち、
プログラムを記憶するメモリを有し、前記プログラムに従って外部に接続される機器とのデータの送受信を行う第１制御ユニットと、電力を供給する制御信号を前記第１制御ユニットから受信することで電力が供給され、前記第１制御ユニットを介して受信したデータを処理する第２制御ユニットとを有し、外部に接続される機器から受信したデータの処理を行う情報処理装置におけるメモリのアップデート方法であって、
前記メモリの内容を更新する際、前記メモリの更新が完了してから、前記第２制御ユニットに電力を供給する制御信号を送信するよう制御する工程を備えることを特徴とする。